(57)【特許請求の範囲】
【請求項１】
給水路と、余剰の洗浄水を排出する排水路と、前記給水路中に設けられた止水弁および温水タンクと、肛門洗浄ノズルと、女性局部洗浄を行うビデ洗浄ノズルと、これらの洗浄ノズルの選択切換えが可能であり、かつ閉弁機能を有するノズル切換弁と、このノズル切換弁の上流側から前記給水路に空気を強制混入する空気ポンプと前記空気ポンプを制御して前記洗浄ノズルから空気が混入した洗浄水を噴出させる洗浄制御回路を有するとともに、凍結防止信号発生手段の信号により前記止水弁およびノズル切換弁を閉止状態で前記空気ポンプを作動させ、前記温水タンクの排水を行う排水制御回路を設けた衛生洗浄便座の水抜き装置。
【請求項２】
給水路と、この給水路中に設けられた止水弁および温水タンクと、前記温水タンクの排水を行う電気駆動排水弁と、肛門洗浄ノズルと、女性局部洗浄を行うビデ洗浄ノズルと、これらの洗浄ノズルの選択切換えが可能であり、かつ閉弁機能を有するノズル切換弁と、このノズル切換弁の上流から前記給水路に空気を強制混入する空気ポンプと前記空気ポンプを制御して前記洗浄ノズルから空気が混入した洗浄水を噴出させる洗浄制御回路を有するとともに、凍結防止信号発生手段の信号により前記電気駆動排水弁を開放し、かつ前記止水弁およびノズル切換弁を閉弁状態で前記空気ポンプを作動させ、前記温水タンクの排水を行う排水制御回路を設けた衛生洗浄便座の水抜き装置。
【請求項３】
凍結防止信号発生手段は排水スイッチを有し、使用者が前記排水スイッチを投入することにより排水制御回路を作動させる構成とした請求項１又は２記載の衛生洗浄便座の水抜き装置。
【請求項４】
凍結防止信号発生手段は、温水タンク内の水温を検出する温度センサを有し、前記温度センサの出力信号により凍結防止信号を出力し、排水制御回路を作動させる構成とした請求項１又は２記載の衛生洗浄便座の水抜き装置。
【請求項５】
ノズル切換弁は、給水路に連通する流入口と、この流入口から各々分岐して設けた第一および第二の流出口を有するハウジングと、前記ハウジング内に回動可能に設けられ、円柱の一部に切り欠きを設けることにより前記流入口と第一あるいは第二の流出口を選択的に連通する流体通路を形成した弁栓と、前記ハウジングと弁栓の接触面に設けられ、フッ素を含有する高分子材料から構成されるシール部材と、前記弁栓を回動するモータから構成した請求項１ないし４のいずれかに記載の衛生洗浄便座の水抜き装置。
【請求項６】
ノズル切換弁は、給水路に連通する流入口と流出口の間に弁座を有するハウジングと、前記弁座に対向して設けた弁体と、閉弁付勢用のスプリングと、前記弁体を駆動する電磁駆動手段を備えた開閉電磁弁と、前記給水路から分岐した分岐路の下流に設けられ、弁座および弁座に対向して設けたダイヤフラム弁と、前記ダイヤフラム弁によって形成される圧力室と、閉弁付勢用のスプリングを備えた圧力作動弁を有するとともに、前記開閉電磁弁の流出口側と前記圧力室を連通する連通路から構成した請求項１ないし４のいずれかに記載の衛生洗浄便座の水抜き装置。
【発明の詳細な説明】
【０００１】
【産業上の利用分野】
本発明は、用便後の人体局部の洗浄を行う衛生洗浄便座の水抜き装置に関するものであり、水の凍結による温水タンクの破損を防止し、しかも水抜き作業が簡便かつ容易に行うことのできる水抜き装置に関するものである。
【０００２】
【従来の技術】
人体局部を温水によって洗浄するこの種の衛生洗浄便座は、水道水を温水タンク内に貯溜し、シーズヒータなどにより４０℃前後の人体局部洗浄に適した温度に沸き上げ、洗浄ノズルから噴出させて洗浄するように構成されている。
【０００３】
このような従来の温水洗浄便座の水回路構成を図７に示す。同図において１は給水路、２は止水弁、３は給水路１から分岐して設けられた排水路であり、余剰の洗浄水を捨て水として便器ボール４内に排出する。５は洗浄水を供給するための水ポンプ、６は温水タンクでありシーズヒータ７によって洗浄水を加熱し、貯湯する。８は温水タンク６に貯溜した温水を人体局部に向けて噴出する洗浄ノズルであり、肛門洗浄ノズル９および女性の局部を洗浄するためのビデ洗浄ノズル１０を有しており、ノズル切換弁１１によって肛門洗浄ノズル９およびビデ洗浄ノズル１０の選択切換えが可能に構成されている。１２は温水タンク５の下部に設けられた排水栓であり、温水タンク６内の水を排出する時に開栓し水抜きが行われる。
【０００４】
以上のような衛生洗浄便座では、通常使用においては洗浄動作によって温水が消費され、温水タンク６内に加熱される前の冷水が供給されて湯温が低下すると、自動的にシーズヒータ７に通電され、４０℃前後の人体局部洗浄に適した温度となるように常時制御される構成となっているが、長期に衛生洗浄便座を使用しない場合は、シーズヒータ７による不要な電力の浪費を防止するため、商用電源のコンセントが外される場合がある。この状態で冬期などの低温環境下に放置すると温水タンク６内の水温が低下して凍結し、温水タンク６を破損し、温水洗浄便座が使用不能となる。またこの種の衛生洗浄便座では温水の調節ボリューム（図示せず）が設けられており温度調節が可能であるが、この調節ボリュームが低温側に設定されている場合には、低温下で放置されると同様に凍結による温水タンク６の破損が発生する。したがって低温環境下で放置する場合は、温水タンク６の水抜きを予め行っておく必要がある。
【０００５】
このため、上記従来の温水洗浄便座において水抜きする場合は、温水タンク６の下部に設けられた排水栓１２を使用者が手で開栓することにより貯溜水の排出を行っていた。
【０００６】
【発明が解決しようとする課題】
しかしながら上記したような従来の温水タンクの水抜き装置では、衛生洗浄便座を配置した狭いスペースで排水栓を開栓する必要があり、また排出した水をトイレの床面にこぼれないように受ける容器を準備する必要があるため、煩わしさを伴うものであった。すなわち狭い空間でしかも様々な施工状態の便器に装着された衛生洗浄便座の水抜きは利用者にとって、非常に面倒で作業性の悪いものであった。
【０００７】
本発明は上記課題を解決するものであり、水の凍結による温水タンクの破損を防止でき、しかも簡便かつ容易に水抜き作業を行い得る衛生洗浄便座の水抜き装置を提供することを第一の目的としている。
【０００８】
第二の目的は、水抜き作業を短時間に行うことのできる衛生洗浄便座の水抜き装置を提供することにある。
【０００９】
また第三の目的は、使用者がスイッチ操作することにより、必要時に任意に水抜きを行うことのできる衛生洗浄便座の水抜き装置を提供することにある。
【００１０】
さらに温水タンク内の水温を検出することにより、凍結が始まる前に自動的に水抜きを行うことのできる衛生洗浄便座の水抜き装置を提供することを第四の目的としている。
【００１１】
【課題を解決するための手段】
上記第一の目的を達成するために本発明の水抜き装置は、給水路と、余剰の洗浄水を排出する排水路と、前記給水路中に設けられた止水弁および温水タンクと、肛門洗浄ノズルと、ビデ洗浄ノズルの選択切換えが可能であり、かつ閉弁機能を有するノズル切換弁と、このノズル切換弁の上流側から前記給水路に空気を強制混入する空気ポンプと前記空気ポンプを制御して前記洗浄ノズルから空気が混入した洗浄水を噴出させる洗浄制御回路を有するとともに、凍結防止信号発生手段の信号により前記止水弁およびノズル切換弁を閉止状態で前記空気ポンプを作動させ、前記温水タンクの排水を行う排水制御回路を設けたものである。
【００１２】
また第二の目的を達成するために本発明の水抜き装置は、給水路と、この給水路中に設けられた止水弁および温水タンクと、前記温水タンクの排水を行う電気駆動排水弁と、肛門洗浄ノズルと、ビデ洗浄ノズルの選択切換えが可能であり、かつ閉弁機能を有するノズル切換弁と、このノズル切換弁の上流から前記給水路に空気を強制混入する空気ポンプと前記空気ポンプを制御して前記洗浄ノズルから空気が混入した洗浄水を噴出させる洗浄制御回路を有するとともに、凍結防止信号発生手段の信号により前記電気駆動排水弁を開放し、かつ前記止水弁およびノズル切換弁を閉弁状態で前記空気ポンプを作動させ、前記温水タンクの排水を行う排水制御回路を設けたものである。
【００１３】
また第三の目的を達成するために本発明の水抜き装置は、凍結防止信号発生手段として排水スイッチを設け、使用者が前記排水スイッチを投入することにより排水制御回路を作動させて空気ポンプを駆動させ、温水タンクの排水を行うように構成するものである。
【００１４】
さらに第四の目的を達成するために本発明の水抜き装置は、凍結防止信号発生手段として、温水タンク内の水温を検出する温度センサを設け、この温度センサの信号により凍結防止信号を出力し、排水制御回路を作動させて空気ポンプを駆動させ、温水タンクの排水を行うように構成するものである。
【００１５】
【作用】
本発明の水抜き装置は、温水タンクの上流に止水弁および余剰の洗浄水を排出する排水路を設け、また下流に肛門洗浄ノズルと、ビデ洗浄ノズルの選択切換えが可能で、かつ閉弁機能を有するノズル切換弁を設けるとともに、このノズル切換弁の上流側から空気を強制混入する空気ポンプを設け、凍結防止信号発生手段の信号により前記止水弁およびノズル切換弁を閉止状態で前記空気ポンプを作動させる排水制御回路を設けたものであるので、空気ポンプによって洗浄水に空気を混入し、洗浄感が向上するとともに温水使用量を低減できるため、長時間の洗浄に際しても温水の温度低下が発生しにくい。また、水抜きに際しては温水タンク内に空気ポンプによる空気圧が作用する。この結果、温水タンクの内圧が上昇し、通常洗浄時に対して洗浄水が逆流し、大気に開放された排出路から例えば便器ボール内に効率的に排水される。このため手作業による排水栓の開栓が不要となり、使用者に煩わしさ感を与えることなく、簡便かつ容易に水抜き作業を行うことができ、また温水タンクの排水栓が不要となる。
【００１６】
また本発明の水抜き装置は、電気駆動排水弁を有する温水タンクの上流に止水弁を設け、また下流に肛門洗浄ノズルと、ビデ洗浄ノズルの選択切換えが可能で、かつ閉弁機能を有するノズル切換弁を設けるとともに、このノズル切換弁の上流側から空気を強制混入する空気ポンプを設け、凍結防止信号発生手段の信号により前記止水弁およびノズル切換弁を閉止状態で前記空気ポンプを作動させる排水制御回路を設けたものであるので、空気ポンプによって洗浄水に空気を混入し、洗浄感が向上するとともに温水使用量を低減できるため、長時間の洗浄に際しても温水の温度低下が発生しにくい。また、水抜きに際しては温水タンクの電気駆動排水弁が開放され、同時に温水タンク内に空気ポンプによる空気圧が作用する。この結果、温水タンクの内圧が上昇し電気駆動排水弁から便器ボール内に排水される。このため手作業による排水栓の開栓が不要となり、使用者に煩わしさ感を与えることなく、簡便かつ容易に水抜き作業を行うことができ、また電気駆動排水弁を設けて排水時に開弁するため、水抜きに要する時間を短縮することができる。
【００１７】
さらに本発明による水抜き装置は、凍結防止信号発生手段として排水スイッチを設け、使用者が前記排水スイッチを投入することにより排水制御回路を作動させて空気ポンプを駆動させ、温水タンクの排水を行うものであるため、使用者がスイッチ操作することにより、必要時に任意に水抜きを行うことができる。この結果、長期に亘って衛生洗浄便座を使用しない場合は、排水スイッチを操作して水抜きを行い、その後商用電源のコンセントを外すことにより冬期などの低温環境下に放置されても凍結による温水タンク破損が発生せず、また不要な電力の浪費を防止することができる。
【００１８】
また本発明による水抜き装置は、凍結防止信号発生手段として、温水タンク内の水温を検出する温度センサを設け、この温度センサの信号により凍結防止信号を出力し、排水制御回路を作動させて空気ポンプを駆動させ、温水タンクの排水を行うものであるので、温水タンク内の水温が凍結温度付近に達すると自動的に水抜きが行われる。この結果、洗浄水の温度調節ボリュームが低温側に設定された状態において低温環境下で放置された場合においても、凍結前に自動的に空気ポンプが作動して水抜きが行われ、温水タンクの破損が防止できる。
【００１９】
【実施例】
以下本発明の実施例を図面にもとづいて説明する。
【００２０】
図１は本発明の一実施例を示す衛生洗浄便座の水抜き装置の構成図を示す。同図において、１３は給水路、１４は止水弁、１５は給水路１３から分岐して設けられた排水路であり、余剰の洗浄水を捨て水として便器ボール４内に排出する。１６は洗浄水を供給するための水ポンプ、１７は温水タンクであり、洗浄水を加熱するシーズヒータ１８、洗浄水の有無を検出するフロートスイッチ１９、洗浄水の加熱温度を検出する温度センサ２０を備えている。２１は温水タンク１７に貯溜された温水を人体局部に向けて噴出する洗浄ノズルであり、肛門洗浄ノズル２２および女性の局部を洗浄するためのビデ洗浄ノズル２３を有しており、後述する構造のノズル切換弁２４によって肛門洗浄ノズル２２およびビデ洗浄ノズル２３の選択切換えが可能に構成されている。なおノズル切換弁２４は、止水弁１４が閉弁され、かつ水ポンプ１６が動作していない状態で、温水タンク１７の洗浄水が洗浄ノズル２１から漏れないように閉止機能を有している。２５は空気ポンプであり、ノズル切換弁２４の上流に設けられた混入部２６から、給水路１３に空気が強制混入される。２７は洗浄制御回路であり、ビデスイッチ２８ａ、肛門スイッチ２８ｂ、停止スイッチ２８ｃから構成される洗浄スイッチ２８の選択投入により、止水弁１４、水ポンプ１６、ノズル切換弁２４を制御する送水制御回路２９と、温度設定ボリューム３０の設定信号に基づいてシーズヒータ１８を制御する湯温制御回路３１および空気ポンプ２５を制御して洗浄水に混入する空気を制御する空気制御回路３２から構成されている。
【００２１】
また３３は排水制御回路であり、排水信号発生手段である排水スイッチ３４を投入することにより、止水弁１４およびノズル切換弁２４を閉弁状態で、空気制御回路３２を介して空気ポンプ２５を作動させる空気ポンプ作動回路３５、空気ポンプ２５を排水スイッチ３４の投入後、所定時間動作させるタイマ回路３６および排水スイッチ３４が投入されると、例えばＬＥＤ３７などを点滅させて排水動作中であることを使用者に知らせるとともに、タイマ回路３６で設定された時間が経過すると、所定時間連続点灯して排水が完了したことを報知する報知回路３８から構成されている。
【００２２】
図２はノズル切換弁２４の一実施例を示す断面図であり、図３は図２におけるＡ−Ａ矢視断面図を示す。同図において３９はハウジングであり、空気の混入部２６に連通する流入口４０と、流入口４０から各々分岐して設けた第一および第二の流出口４１ａ、４１ｂを有しており、第一の流出口４１ａは肛門洗浄ノズル２２に、また第二の流出口４１ｂは、ビデ洗浄ノズル２３に連通している。４２はハウジング３９内に回動可能に設けらた弁栓であり、円柱の一部に設けた切り欠き部４３を設けることにより流入口４０と第一、第二の流出口４１ａ、４１ｂを選択的に連通する通路４４が形成されている。４５は、四フッ化エチレンを含有する高分子材料から構成されるシール部材であり、弁栓４２に一体成型されている。四フッ化エチレンを含有する高分子材料は摩擦係数が小さくかつ高弾性な特性を有し、弁栓４２のスムーズな回動を実現するとともに、制御流体の外部への漏れを防止する。４６は、弁栓４２の駆動手段であり、ステッピングモータ４７、減速手段４８および出力軸４９から構成されている。
【００２３】
以上の構成において次に本実施例の作用、動作について説明する。洗浄スイッチ２８が投入されると、洗浄制御回路２７が動作して止水弁１４を開弁するとともに水ポンプ１６、空気ポンプ２５およびノズル切換弁２４が動作して図３（ａ）に示した閉弁位置から図３（ｂ）あるいは（ｃ）に示した位置に弁栓４２が回動され、選択された洗浄ノズル２２あるいは２３から洗浄水と空気が混入した二層流が人体局部に向けて放出され洗浄される。ここで洗浄水に空気ポンプ２５によって強制的に空気を混入しているため、洗浄時に柔らかい使用感が得られるとともに、温水の使用量を低減でき、湯切れ時間を伸ばすことができる。すなわちこの種の貯湯式の温水タンク１７では、予め所定温に沸きあげた温水が流出すると温水タンク１７に低温の水が供給されるため、所定時間洗浄すると温水の温度が低下して湯切れが発生する。本実施例では、空気を混入するため温水の使用量を低減でき、この結果湯切れ時間を伸ばすことが可能となり、長時間の洗浄に際しても温水の温度低下が発生しにくい。
【００２４】
次に、長期に衛生洗浄便座を使用せず温水タンク１７の凍結を防止するために水抜きを行う場合は、凍結防止信号発生手段である排水スイッチ３４を投入することにより排水制御回路３３が動作し、止水弁１４およびノズル切換弁２４を閉弁状態で空気ポンプ２５を作動させる。したがって混合部２６の内部圧力が上昇し、給水路に停滞した洗浄水は洗浄時に対して逆流し、温水タンク１７に貯溜された洗浄水は水ポンプ１６を経て排出路１５から効率的に便器ボール４内に排出される。なお排水スイッチ３４の投入によりタイマ回路３６が計時を開始し、報知回路３８によってＬＥＤ３７が点滅して排水中であることが使用者に報知され、またタイマ回路３６によって予め設定された時間（水抜きが完了する時間）が経過するとＬＥＤ３７が所定時間連続点灯して完了が報知されるとともに空気ポンプ２５が停止し、水抜きが完了する。
【００２５】
以上述べたように本実施例は、空気ポンプ２５を設けることによって洗浄水に空気を混入し、洗浄感が向上するとともに温水使用量を低減できるため、長時間の洗浄に際しても温水の温度低下が発生しにくい。また凍結防止のため水抜きを行う場合は、排水スイッチ３４を投入することにより、空気ポンプ２５が動作して温水タンク１７の圧力を上昇させ排水路１５から排水できる。このため手作業による排水栓の開栓が不要となり、使用者に煩わしさ感を与えることなく、簡便かつ容易に水抜き作業を行うことができる。また必要時に任意に水抜きを行うことができるとともに温水タンクの排水栓が不要となる。さらにタイマ回路３６および報知回路３８を設けたので水抜きが完了すると自動的に空気ポンプ２５が停止し、かつ水抜き動作が使用者に報知される。
【００２６】
図４はノズル切換弁２４の他の実施例における断面図を示し、肛門洗浄ノズル２２に連通する開閉電磁弁５０およびビデ洗浄ノズル２３に連通する圧力作動弁５１から構成されている。開閉電磁弁５０は給水路１３に連通する流入口５２と流出口５３の間に弁座５４を有するハウジング５５、弁座５４に対向して設けた弁体５６、閉弁付勢するスプリング５７および弁体５６を駆動する電磁駆動手段５８から構成されている。
【００２７】
圧力作動弁５１は給水路１３から分岐した分岐路５９の下流に設けられた流入口６０と流出口６１の間に弁座６２を有するハウジング６３、弁座６２に対向して設けたダイヤフラム弁６４、閉弁付勢するスプリング６５およびハウジング６３とダイヤフラム弁６４によって形成される圧力室６６から構成されている。また開閉電磁弁５０の流出口５３と圧力室６６は連通路６７によって連通されている。
【００２８】
上記構成において、水ポンプ（図示せず）によって洗浄水が供給され、電磁駆動手段５８に通電すると弁体５６が開弁して肛門洗浄ノズル２２に洗浄水が供給される。この時、流出口５３の圧力が連通路６７を通じて圧力室６６に作用してダイヤフラム弁６４は閉弁される。一方、電磁駆動手段５８への通電を停止するとスプリング５７によって弁体５６は閉弁され、流出口５３の圧力は大気圧となるため、圧力室６６の圧力も大気圧となる。この結果流入口６０の圧力を受けてダイヤフラム弁６４がスプリング６５に抗して開弁し、ビデ洗浄ノズル２３に洗浄水が供給される。すなわち電磁駆動手段５８への通電制御によりノズル切り換えが可能となる。また上流に設けた水ポンプを停止すれば閉弁付勢用のスプリング５７および６５によって閉止される。
【００２９】
本実施例では電磁駆動手段５８によってノズル切り換えを行うため、図２に示したモータ駆動方式に比べて、切り換え応答速度が向上する効果がある。
【００３０】
図５は本発明の他の実施例における衛生洗浄便座の水抜き装置の構成図を示す。同図において６８は温水タンク１７の下部に設けられた電気駆動排水弁であり、電気信号によって開弁され、温水タンク１７に貯溜された洗浄水が排水管６９を通じて便器ボール４に排水されるように構成されている。３３ａは排水制御回路であり、排水スイッチ３４が投入されることにより、止水弁１４およびノズル切換弁２４を閉弁状態で、空気制御回路３２を介して空気ポンプ２５を作動させる空気ポンプ作動回路３５、排水スイッチ３４が投入されると温水タンク１７に設けられた電気駆動排水弁６８を開弁する排水弁作動回路７０、および排水スイッチ３４の投入後空気ポンプ２５を所定時間動作させるとともに電気駆動排水弁６８を所定時間開弁保持するタイマ回路３６、排水スイッチ３４が投入されると、例えばＬＥＤ３７などを点滅させて排水動作中であることを使用者に知らせるとともに、タイマ回路３６で設定された時間が経過すると、所定時間連続点灯して排水が完了したことを報知する報知回路３８から構成されている。その他は、図１に示した実施例と同様であり、同一番号を付して詳細な説明を省略する。
【００３１】
上記構成において水抜きに際しては、排水スイッチ３４が投入されると温水タンク１７の電気駆動排水弁６８が開放され、同時に温水タンク１７内に空気ポンプ２５による空気圧が作用する。この結果、温水タンクの内圧が上昇し洗浄水は電気駆動排水弁６８から排水管６９を通じて便器ボール４内に効率的に排水される。またタイマ回路３６によって設定された時間が経過し、排水が完了すると自動的に空気ポンプ２５が停止されるとともに、電気駆動排水弁６８が閉弁される。
【００３２】
本実施例によれば、図１の実施例と同様の作用効果が得られるとともに電気駆動排水弁６８を設けて排水時に開弁するため、短時間に水抜きを終了できる効果がある。
【００３３】
図６は凍結信号発生手段の他の実施例における要部構成図を示したものであり、温水タンク１７に貯溜された洗浄水の水温を検出することにより凍結温度を検出し、凍結する前に自動的に水抜きを行う構成としたものである。すなわち２０ａは温度センサであり、温水タンク１７の沸きあげ温度を検出して湯温制御回路３１に信号を出力し、シーズヒータ１８の通電量が制御される。一方温度センサ２０ａの信号は凍結防止信号発生手段７１にも入力され、凍結が始まる前の温度が設定された温度設定回路７２の信号と比較器７３によって比較判別され、温度設定回路７２で設定された温度以下になると排水制御回路３３ａを動作させて自動的に空気ポンプ２５を動作させるとともに電気駆動排水弁６８を開弁させて水抜きが行われる。その他の構成は図５と同様であり、同一番号を付して詳細な説明を省略する。
【００３４】
本実施例によれば、温水タンク１７内の水温が凍結温度付近に達すると自動的に水抜きが行われる。この結果、洗浄水の温度調節ボリューム３０が低温側に設定された状態において低温環境下で放置された場合においても、凍結前に自動的に空気ポンプ２５が作動して水抜きが行われ、温水タンクの破損が防止できる。また水温制御用として必須の温度センサ２０ａを凍結温度検出用に兼用したのでコスト低減が図れるものである。なお本実施例は水温検出により自動的に水抜きを行うものであるが、図１の実施例で示したような排水スイッチ３４を設けることにより、手動と自動の両方により水抜きが行えるようにしてもよい。
【００３５】
【発明の効果】
以上詳述したように本発明の衛生洗浄便座の水抜き装置は、空気ポンプを設けることによって洗浄水に空気を混入し、洗浄感が向上するとともに温水使用量を低減できるため、長時間の洗浄に際しても温水の温度低下が発生しにくい。また凍結防止のため水抜きを行う場合は、凍結防止信号発生手段により、洗浄用の空気ポンプが動作して温水タンクの圧力を上昇させ排水路から効率的に排水できる。このため手作業による排水栓の開栓が不要となり、使用者に煩わしさ感を与えることなく、簡便かつ容易に水抜き作業を行うことができる。また温水タンクの排水栓が不要となるとともに洗浄用に設けた空気ポンプやノズル切換弁を水抜きに兼用するため構造の簡素化が図れる。
【００３６】
また本発明による衛生洗浄便座の水抜き装置は、空気ポンプを設けるとともに温水タンクに電気駆動排水弁を設けたものであるので水抜きを行う場合は、凍結防止信号発生手段により、電気駆動排水弁が開弁されるとともに温水タンク内に空気ポンプによる空気圧が作用するため、効率的にかつ短時間に水抜きを完了することができる。
【００３７】
さらに本発明による衛生洗浄便座の水抜き装置は、凍結防止信号発生手段として排水スイッチを設けて使用者の選択投入を可能としたので、簡便かつ容易にしかも任意に水抜きを行うことができる。これにより温水洗浄便座を長期に使用しない場合は、排水スイッチにより水抜きを行った後コンセントを外しておけば凍結による温水タンクの破損を防止できるとともに電力の浪費を防止できる。
【００３８】
また本発明による衛生洗浄便座の水抜き装置は、凍結防止信号発生手段として温水タンク内の温度を検出を検出する温度センサを設け、温水タンクの水温が凍結温度付近となると自動的に水抜きを行うことができる。このため低温設定状態で低温環境下に放置された場合でも自動的に水抜きが行われ、温水タンクの破損を未然に防止できる。
【図面の簡単な説明】
【図１】本発明の一実施例を示す衛生洗浄便座の水抜き装置の構成図
【図２】同衛生洗浄便座のノズル切換弁の拡大断面図
【図３】図２におけるＡ−Ａ矢視断面図
【図４】本発明の一実施例を示す衛生洗浄便座のノズル切換弁の拡大断面図
【図５】本発明の他の実施例を示す衛生洗浄便座の水抜き装置の構成図
【図６】同衛生洗浄便座の凍結棒信号発生手段の要部構成図
【図７】従来の温水洗浄便座の水抜き装置の構成図
【符号の説明】
１３  給水路
１４  止水弁
１５  排水路
１７  温水タンク
２０ａ  温度センサ
２２  肛門洗浄ノズル
２３  ビデ洗浄ノズル
２４  ノズル切換弁
２５  空気ポンプ
３３、３３ａ  排水制御回路
３４  排水スイッチ（凍結防止信号発生手段）
３９  ハウジング
４０  流入口
４１ａ  第一の流出口
４１ｂ  第二の流出口
４２  弁栓
４４  流体通路
４５  シール部材
４７  モータ
５０  開閉電磁弁
５１  圧力作動弁
５２  流入口
５３  流出口
５４  弁座
５５  ハウジング
５６  弁体
５７  スプリング
５８  電磁駆動手段
５９  分岐路
６２  弁座
６４  ダイヤフラム弁
６５  スプリング
６６  圧力室
６７  連通路
６８  電気駆動排水弁
７１  凍結防止信号発生手段
【図１】
0003550723.tif 000002
【図２】
0003550723.tif 000003
【図３】
0003550723.tif 000004
【図４】
0003550723.tif 000005
【図５】
0003550723.tif 000006
【図６】
0003550723.tif 000007
【図７】
0003550723.tif 000008